(57)【要約】      （修正有）【課題】色覚に異常のある人であっても、地区表示灯の作動に対し簡単且つ確実に火災、防排煙、ガス漏れといった種別を視認可能とする。【解決手段】防災受信機の地区表示パネル１０は、凹陥部に、火災、防排煙及びガス漏れの作動場所に対応して点滅又は点灯する地区表示灯１６及び地区名を表記する地区表示部２０を設けた複数の地区窓１４を複数配列したパネル枠部材１２と、パネル枠部材１２の各地区窓１４に外側から着脱自在に装着された複数の地区窓カバー２２とで構成される。複数の地区窓カバー２２には、火災、防排煙及びガス漏れを示すシンボルマークを印刷配置する。【選択図】図２
0003133849.tif 000002
【実用新案登録請求の範囲】
【請求項１】
凹陥部に、火災、防排煙及びガス漏れの作動場所に対応して点滅又は点灯する地区表示灯及び地区名を表記する地区表示部を設けた複数の地区窓を複数配列したパネル枠部材と、
前記パネル枠部材の各地区窓に外側から着脱自在に装着された複数の地区窓カバーと、
で構成された地区表示パネルを備えた防災受信機に於いて、
前記複数の地区窓カバーとして、前記地区表示灯の相対位置に火災、防排煙及びガス漏れを示すシンボルマークを印刷配置したことを特徴とする防災受信機。
【請求項２】
請求項１記載の防災受信機に於いて、前記地区窓カバーは、前記シンボルマークを印刷配置した部位の背後に、前記地区表示灯からの光を拡散させる表示灯カバーを印刷又は貼付したことを特徴とする防災受信機。
【請求項３】
請求項１記載の防災受信機に於いて、前記地区窓カバーは、前記シンボルマークの印刷部位を除くカバー透過部分を、前記火災、防排煙及びガス漏れの各々に対応して透明又は所定の着色を施したことを特徴とする防災受信機。
【請求項４】
請求項１記載の防災受信機に於いて、前記地区窓カバーのシンボルマークとして、前記火災、防排煙及びガス漏れ以外については種別フリーを示すシンボルを印刷配置したことを特徴とする防災受信機。
【考案の詳細な説明】
【技術分野】
【０００１】
本考案は、火災、防排煙、ガス漏れ等が作動した地区を地区表示灯を点灯又は点滅して表示する地区表示パネルを備えた防災受信機に関する。
【背景技術】
【０００２】
従来、火災やガス漏れなどを検出して警報する防災監視設備にあっては、管理人室などに設置した防災受信機に火災、防排煙、ガス漏れを検出した場所を表示するため地区表示パネルを設けている。
【０００３】
図４は従来の防災受信機に設置される地区表示パネルを取り出して示している。図４において、地区表示パネル１００はパネル表示枠１０２に凹陥部として形成した地区窓１０４を横2列に例えば５つ配列しており、地区窓１０４の各々にはチップＬＥＤを用いた地区表示灯１０６が取付けられている。
【０００４】
地区表示パネル１００に配列した地区窓１０４の地区表示灯１０６の部分には表示灯カバー１０８が装着され、残りの部分が地区名を印刷した紙やシートを配置する地区表示部１１０となる。
【０００５】
表示灯カバー１０８は光拡散処理が施されたシートであり、チップＬＥＤの部分を円形に抜いた印刷が施され、地区表示灯１０６として設けたチップＬＥＤからの光を拡散させている。更に、地区窓１０４に対しては透明な合成樹脂プレートを使用した地区窓カバー１１２が外側から着脱自在に装着される。
【０００６】
防災受信機で例えば火災を受信すると、火災が発生した場所を示す地区表示パネルの中の地区表示灯が点滅又は点灯する。また火災受信に伴って防排煙機器が連動制御されると、防排煙機器が作動した場所を示す地区表示灯が点滅又は点灯する。更に、ガス漏れが受信された場合、ガス漏れが発生した場所の地区表示灯か点灯又は点滅する。
【０００７】
このような従来の地区表示パネル１００にあっては、地区窓１０４で表示する火災、防排煙、ガス漏れの種別を、地区窓カバー１１２の色のみによって区別している。地区窓カバー１１２の色は例えば火災は透明、防排煙は黄色、ガス漏れは青色として区別している。
【特許文献１】特開平９−１８００７７号公報
【考案の開示】
【考案が解決しようとする課題】
【０００８】
しかしながら、このような従来の防災受信機に設けた地区表示パネルにあっては、地区窓で表示する火災、防排煙、ガス漏れの種別を、地区窓カバーの色のみによって区別していたため、色覚に異常のある人にとって、地区表示灯の点滅や点灯は分かるが、地区表示灯が作動している地区窓カバーの色の見分けがつかず、防災受信機の火災、ガス漏れの代表表示などの別の表示を確認して作動した地区表示灯の種別を確認しなければならない問題がある。
【０００９】
本考案は、色覚に異常のある人であっても、地区表示灯の作動に対し簡単且つ確実に火災、防排煙、ガス漏れといった種別を視認可能とした地区表示パネルを備えた火災受信機を提供することを目的とする。
【課題を解決するための手段】
【００１０】
本考案は、凹陥部に、火災、防排煙及びガス漏れの作動場所に対応して点滅又は点灯する地区表示灯及び地区名を表記する地区表示部を設けた複数の地区窓を複数配列したパネル枠部材と、パネル枠部材の各地区窓に外側から着脱自在に装着された複数の地区窓カバーとで構成された地区表示パネルを備えた防災受信機に於いて、
複数の地区窓カバーとして、前記地区表示灯の相対位置に火災、防排煙及びガス漏れを示すシンボルマークを印刷配置したことを特徴とする。
【００１１】
ここで、地区窓カバーは、シンボルマークを印刷配置した部位の背後に、地区表示灯からの光を拡散させる表示灯カバーを印刷又は貼付する。
【００１２】
また地区窓カバーは、シンボルマークの印刷部位を除くカバー透過部分を、火災、防排煙及びガス漏れの各々に対応して透明又は所定の着色を施す。
【００１３】
更に、地区窓カバーのシンボルマークとして、火災、防排煙及びガス漏れ以外については種別フリーを示すシンボルを印刷配置する。
【考案の効果】
【００１４】
本考案によれば、地区窓に装着する地区窓カバーに火災、防排煙及びガス漏れに対応したシンボルを表示することで、点滅又は点灯した地区表示灯の種別を、地区窓カバーの色のみでなくシンボルによっても認識できるようになり、色覚に異常のある人であっても、点灯又は点滅した地区表示灯の種別が火災か防排煙か或いはガス漏れかを簡単且つ確実に認識して対応する措置や行動をとることができる。
【考案を実施するための最良の形態】
【００１５】
図１は本考案の地区表示パネルが使用された防災受信機の実施形態を示した説明図である。図１において、防災受信機１は前面パネルの上部に、火災代表灯２、ガス漏れ代表灯３及び防排煙代表灯４を配置している。その下には地区表示パネル１０が３段に配置されている。地区表示パネル１０は、それぞれ地区窓を横方向に２列に５つ配列し、１つの地区表示パネル１０当たり１０箇所の地区表示を可能としている。
【００１６】
地区表示パネル１０の下には第１報表示器７と第２報表示器８が設けられ、更にその下に操作部５とスピーカを用いた音響警報部６が設けられている。
【００１７】
図２は図１の防災受信機１に設けている地区表示パネルを取り出して、且つ分解して本考案の実施形態を示した説明図である。図２において、地区表示パネル１０は、パネル枠部材１２に対し地区窓１４を横２列に５つ配列している。地区窓１４は、下側に取り出して示すように、パネル枠部材１２に対し形成された凹陥部の左側にチップＬＥＤを用いた地区表示灯１６を配置し、その右側の空き部分を地区表示部２０としており、地区表示部２０には地区名を印刷した紙やシートが配置される。地区窓１４に対しては外側から地区窓カバー２２が装着される。
【００１８】
本実施形態の地区窓カバー２２は、地区表示灯１６に相対した位置に例えば火災シンボル２４を印刷表示している。火災シンボル２４の印刷位置の裏側には、地区表示灯１６のチップＬＥＤの部分を円形に抜いた遮光印刷を施した光拡散シートである表示灯カバー１８が裏面側から貼り付けられる。なお表示灯カバー１８は別部材とせずに、火災シンボル２４の裏面側に光拡散材料を使用した印刷形成としてもよい。
【００１９】
地区窓カバー２２の左端及び右端の２箇所には嵌合突起２６が形成される。これに対応して地区窓１４の凹陥部の左端の１箇所及び右端のコーナー部の２箇所に嵌合切欠２８が形成されており、この地区窓１４側の切欠に地区窓カバー２２の両側の嵌合突起２６を嵌め入れることで、地区窓１４に対し地区窓カバー２２を着脱自在な構造としている。
【００２０】
このように地区窓カバー２２を地区窓１４に対し着脱自在とすることで、地区表示灯１６の点灯または点滅が火災防排煙またはガス漏れのいずれか１つどちらに対応した表示作動であっても、地区表示灯１６の表示種別に対応したシンボルを持つ地区窓カバー２２を自由に選択して地区窓１４に嵌め入れることができる。
【００２１】
図３は本実施形態で使用する種別シンボルを表示した地区窓カバーを示した説明図である。図３（Ａ）は、図２に示している火災シンボル２４を印刷配置した地区窓カバー２２を示している。この火災シンボル２４を印刷配置した地区窓カバー２２の地区表示部２０に対応した部分は透明部３６としている。
【００２２】
図３（Ｂ）は防排煙シンボル３０を印刷配置した地区窓カバー２２を示している。この防排煙シンボル３０を印刷配置した地区窓カバー２２の地区表示部２０に相対した部分は黄色部３８としている。
【００２３】
図３（Ｃ）はガス漏れシンボル３２を印刷配置した地区窓カバー２２であり、この場合、地区表示部２０に相対した部分は青色部４０としている。
【００２４】
更に図３（Ｄ）は火災防排煙、ガス漏れ以外の適宜の種別に使用する種別フリーを示すフリーシンボルを印刷配置した地区窓カバー２２であり、この場合の地区表示部２０に相対した部分は、オレンジ色部４２としている。
【００２５】
本実施形態にあっては、図３（Ａ）（Ｂ）（Ｃ）に示した火災シンボル２４、防排煙シンボル３０及びガス漏れシンボル３２を印刷配置した地区窓カバー２２を予め必要数準備しておき、図１に示した防災受信機１に地区表示パネル１０を設置した後、地区表示パネル１０におけるそれぞれの地区表示窓の表示種別に対応して、図３の火災シンボル２４、防排煙シンボル３０またはガス漏れシンボル３２のいずれかを選択し、対応する地区窓１４に、地区表示部２０に対する地区名を表示したシートと共に組み付け、これによって防災受信機１における地区表示の種別に対応した地区表示可能状態を簡単に決めることができる。
【００２６】
地区表示パネル１０に対する火災シンボル２４、防排煙シンボル３０またはガス漏れシンボル３２を印刷配置した地区窓カバー２２の取付けは工場の製造段階で行うが、現場に防災受信機１を設置した後においても、必要に応じて別のシンボルを表示した地区窓カバー２２に簡単に入れ替えることができる。
【００２７】
このような火災防排煙またはガス漏れのシンボルを印刷表示した地区窓カバー２２を地区窓１４に設けた地区表示パネル１０を使用することで、例えば図１の防災受信機１で火災発報を受信して火災代表灯２が点灯する。
【００２８】
これに伴い地区表示パネル１０のいずれかの火災作動となった地区表示灯が点灯し、このとき地区表示灯の点灯で、地区窓１４に設けている地区窓カバー２２の例えば火災シンボル２４が地区表示灯１６の点滅または点灯により背光照明を受けて表示される。
【００２９】
担当者は点灯した地区表示灯のシンボル表示を見て、その表示のシンボルが火災シンボル２４であることを認識し、また火災シンボル２４の地区窓カバー２２の地区表示部が透明部３６であることから、火災シンボル２４と透明部３６から地区表示している種別が簡単且つ確実に把握することができる。
【００３０】
また色覚に異常のある人であっても、地区表示灯１６により火災シンボル２４の照明表示が行われるため、透明部３６の色に関係なく、地区表示灯１６の点滅または点灯で背光照明により表示されているシンボルを見て、その種別が火災であるか、防排煙であるか、ガス漏れであるかを簡単に把握し、迅速且つ適切な対応行動を取ることができる。
【００３１】
なお上記の実施形態にあっては、地区窓カバー２２に印刷配置するシンボルとして、火災シンボル、防排煙シンボル、ガス漏れシンボル及びそれ以外のシンボルを示すフリーシンボルを例に取っているが、これ以外の防災監視に使用する適宜の種別内容を示すシンボルであっても良いことはもちろんである。
【００３２】
また本実施形態に示した火災シンボル、防排煙シンボル、ガス漏れシンボルの図形は一例であり、必要に応じて、それぞれの種別を区別することのできる適宜のシンボル図形を用いても良いことはもちろんである。
【００３３】
また本考案は、その目的と利点を損なうことのない適宜の変形を含み、更に上記の実施形態に示した数値による限定は受けない。
【図面の簡単な説明】
【００３４】
【図１】本考案の地区表示パネルが使用された防災受信機の説明図
【図２】図１の地区表示パネルを取り出して且つ分解して示した本考案の実施形態を示した説明図
【図３】本実施形態で使用する種別シンボルを表示した地区窓カバーを示した説明図
【図４】従来の地区表示パネルを示した説明図
【符号の説明】
【００３５】
１：防災受信機
２：火災代表灯
３：ガス漏れ代表灯
４：防排煙代表灯
５：操作部
６：音響警報部
７：第１報表示器
８：第２報表示器
１０：地区表示パネル
１２：パネル枠部材
１４：地区窓
１６：地区表示灯
１８：表示灯カバー
２０：地区表示部
２２：地区窓カバー
２４：火災シンボル
２６：嵌合突起
２８：嵌合切欠
３０：防排煙シンボル
３２：ガス漏れシンボル
３４：フリーシンボル
３６：透明部
３８：黄色部
４０：青色部
４２：オレンジ色部
【図１】
0003133849.tif 000003
【図２】
0003133849.tif 000004
【図３】
0003133849.tif 000005
【図４】
0003133849.tif 000006